(57)【要約】      （修正有）【課題】放射性物質を含む汚染水を放射性物質濃度別に着色する装置を提供する。【解決手段】放射性物質を含む汚染水の放射性物質濃度を測定し、人体に影響を及ぼさない範囲の濃度を有する汚染水は着色せず、原子力委員会が出している指標値を超えた濃度の汚染水は、染料タンク１から噴出される青色染料で着色され、さらに、それより高濃度で人体に対して非常に障害を与える濃度の汚染水は、染料タンク１から噴出される赤色染料で着色される。貯蔵タンク中の汚染水について、その放射性物質濃度に合わせて着色することで、貯蔵タンクからの汚染水漏れが生じた際の発見手段となる。【選択図】図１
2015121522.tif 000002
【特許請求の範囲】
【請求項１】
ポンプによって汲み上げられた水が放射能に汚染したものであれば、その濃度によって着色装置の弁が開き、排出ポンプによって染料が噴出する装置である。
【請求項２】
一概に放射能といっても６３種類からなる核質があり、主なものにストロンチウム、ウラン、プルトニウム、トリチウム、放射性ヨウ素、放射性セシウムなど様々な特徴を持っている。
着色装置にはそれら全てを感知できるようにし、ベーター線量計やガンマ線量計等をうまく使って、吸水した汚染水が漏れなく正確に計測できるようにする。
【請求項３】
放射能が人体に必ずしも影響与えない程度であれば、着色装置は働かない。例えば、放射性トリチウムの告示濃度限度は６万ベクレル／ｌなので、それ以下であれば反応しないが、６万ベクレルを超えるとすぐさま反応し、青色染料が噴き出し着色する。
その他、Ｂ線核質の半分を占める放射性ストロンチウム９０の告示濃度限度は３０Ｂｑ／ｌ、放射性セシウム１３７は０．４７７ベクレル／ｋｇ、セシウム１３４は０．４５ベクレル／Ｋｇなどである。
【請求項４】
放射能濃度が極めて高く、人体に及ぼす影響が甚大であると思われる濃度に達した時は、危険状態を知らせるために赤色着色染料が噴き出す。
【請求項５】
この装置を福島第一原発の汚染水対策に用いるだけでなく、日本中に点在する５４機からなる原発全ての冷却水の排水溝に備える。
原発が正常に機能しているかをチェックできることは、国民全体の安心感に繋がる。
これから行われようとしている汚染土の中間処理施設にも、その周辺にこの装置を置くことによってチェックする事が出来れば少しは安心感がもてる。
【請求項６】
貯蔵タンクの全ての汚染水を着色し、その漏れをチェックするとともに、地下水の汚染水もチェック出来るように福島第一原発の回りの沿岸にもこの装置を多数配置し、監視する体制をとる。
【請求項７】
着色された汚染水は速やかに回収する。海洋の場合は、専用バキューム船を用いてタンカーや貯蔵タンクに管理し、アルプスに勝る除去装置の開発を待つ。
【請求項８】
回収に時間がかかる恐れがあるので、その対策として着色染料に界面活性剤等を混入させることによって簡単には希釈しないようにする。
【請求項９】
小型版の装置を作り持ち運びが簡単なこの装置によって、雨水による水たまりや側溝、周りの河川の汚染状況をチェックする。
【発明の詳細な説明】
【技術分野】  放射能汚染水を濃度別に着色する装置に関する
【背景技術】  福島原発の東日本大震災による放射能汚染の実態はますます深刻化するばかりである。避難住民の帰還は可能なのか、福島の海は日本の海は大丈夫なのか、そういった不安は一向に取り除かれようとはしていない。放射能そのものは目に見えなく厄介であるが、放射能に汚染された汚染水ぐらいはきちんと安全に管理できないものかと考えて、この発明に至った。
【先行技術文献】
【非特許文献１】  Ｐ０２０１２−２４７３２１
【非特許文献２】  Ｐ０２０１３−１７０８５７
【発明の概要】
【発明が解決しようとする課題】  これまでの状態が続けば、福島周辺の港で獲れた魚は、たとえ放射能測定の結果、食しても大丈夫であると説明されても、誰も口にしようとしない。全国に広がってしまった風評被害は、そう簡単には解決しないのが現実である。誰もが安心できるように、福島第一原発の全ての排水溝や地下水の流出付近、あるいは沿岸沿いにこの装置を設けて監視すれば、その状況を常に把握する事が出来る。さらに人体に影響を及ぼすと考えられる着色が確認できた時は、予め用意しておいたバキューム船によって回収することにすれば、海の安全は守られていると確信できる。政府は対外的にも汚染水はコントロール出来ていると主張してきたが、その後、公になった様々な事実によって覆されようとしている。誰の目にも一目に分かり、すぐさま対応できるシステムを作ることが何より大切である。
【発明が解決しようとする手段】
ただ汚染水を着色するという考え方は周知の技術であるが、私が発明しようとしている装置は、放射能汚染水を濃度別に着色しようとするものである。放射能には６３種類もの色々な特徴を持った放射能物質があり、検知の仕方もその特徴によって変わってくる。それらを全て感知できる装置を用意し、それぞれが危険値を感知した時点で着色装置が働き、危険度に合わせて各々の弁が開き、ポンプによって染料が噴き出し着色する。
【発明の効果】
汚染水の状態が一目にして誰にでも確認する事が出来ることは、非常に安心感を持つことに繋がる。それと同時に、危険の範囲を察知出来ることは、それに適った対処法もすぐに考えられる。トリチウム以外の放射性物質を除くことは今の技術でも可能であるが、まずはそれらを実行し、当面は残ったトリチウムは貯蔵し続けるか、かなり薄くなるように希釈して海に流出することになるのだろうが、この装置をそれぞれの拠点に置くことによって大きな被害より免れることが出来る。２０２０年のオリンピックに向けてぜひともこのシステムを完成させれば、開催も安心して迎える事が出来る。
【発明を実施するための形態】
本発明を実施するためにはまず放射能の濃度を的確につかむ装置を用意することが必要である。
［請求項２］にあるように、それぞれの核質によって計れる線量計が違ってくるので、それらをうまく組み合わせて吸水した汚染水の実態をつかめるようにする。
［請求項３］で説明しているように、安全性の指標値を超えた場合に感知センサーが働き、弁が開き着色染料を噴き出すようにする。さらに［請求項４］にあるように、高濃度であることが検知された場合はもう一つの感知センサーが働き、赤色の着色染料を噴き出すようにする。
着色染料がすぐに、周りの海水や水と混ざり合って溶け込まない様に、界面活性剤等を使って混ざりにくく工夫し、速やかにバキューム船等を使って回収する。
［発明の効果］でも述べているように、このシステムを作り上げることによって初めて汚染水がコントロール出来ると言える。
【図面の簡単な説明】
【図１】▲１▼染料タンク  ２つの染料タンクにはそれぞれ青色着色染料と赤色着色染料が２０００Ｌずつ入っている。▲２▼放射能感知装置  ▲３▼の吸水ポンプにより吸収された水が、▲３▼の装置に入り様々な測定器により汚染度具合が測定され、濃度によって▲１２▼の感知センサーが働き、▲９▼の排出ポンプが作動して▲４▼の排出ホースよりタンク内の染料が噴出される。▲１▼のタンクの染料量が少なくなってくると、▲１３▼の補給用タンクより▲１４▼の補給管を通って補充する事が出来る。
【図２】着色装置を左右より見た図である。
【図３】携帯型着色染料器  ▲１▼染料タンク（携帯用ボンベ型）  ▲４▼直接水たまりや側溝、河川に噴出する。
【符号の説明】▲１▼染料タンク
▲２▼放射能感知装置
▲３▼給水ポンプ
▲４▼排水ホース（染料用）
▲５▼排水ホース（汚染水用）
▲６▼排水ホース（汚染水用）スペア数本
▲７▼排水ホース（染料用）スペア数本
▲８▼電源コード
▲９▼排出ポンプ
▲１０▼吸水ホース
▲１１▼携帯用装置の取っ手
▲１２▼感知センサー
▲１３▼補給用タンク
▲１４▼補給管
▲１５▼バキウム船
【図１】
2015121522.tif 000003
【図２】
2015121522.tif 000004
【図３】
2015121522.tif 000005